(57)【要約】【課題】従来よりも使い勝手がよい構造の水中ウォーキング対応プールを提供しようとするもの。【解決手段】プール内のコースのうちの複数コースがウォーキング用コース１として設定され、前記複数コース内の相互間を適宜区画する区画線に沿ってプール底面６にフロート７の錨機能部８が複数個所に配設され、前記フロート７はプール底面６の錨機能部８に接続されてプール水面９に存する構造を有し、利用者がウォーキング用コース１の複数コース内を前記フロート７を目印として往復歩行可能とした。【選択図】図１
2008228954.tif 000002
【特許請求の範囲】
【請求項１】
プール内のコースのうちの複数コースがウォーキング用コース１として設定され、前記複数コース内の相互間を適宜区画する区画線に沿ってプール底面６にフロート７の錨機能部８が複数個所に配設され、前記フロート７はプール底面６の錨機能部８に接続されてプール水面９に存する構造を有し、利用者がウォーキング用コース１の複数コース内を前記フロート７を目印として往復歩行可能としたことを特徴とする水中ウォーキング対応プール。
【発明の詳細な説明】
【技術分野】
【０００１】
この発明は、健康増進、体力増強、代謝効率の改善に効果的であり、また高血圧、高脂血症等の成人病に対する運動療法、或いは術後等のリハビリテーションなどを体重の影響を少なくして行うことができる水中ウォーキング対応プールに関するものである。
【背景技術】
【０００２】
従来よりアスレチッククラブにおいて、水の浮力を利用し膝や腰にあまり負担をかけない状態でプール内を歩行する水中ウォーキング（ウォーキングエクササイズ）が行われている（例えば、特許文献１参照）。この水中ウォーキングによると、体に無用な負担をかけずに水の抵抗によって筋力の増強などを図ることができなかなか盛況である。すなわち水中ウォーキングの愛好者によると、実際に体調が良くなってくるという効用があり非常に喜ばれている。
前記水中ウォーキングは、プール内のコースロープで区切られた複数の水泳コースのうちの端っこの１コースがウォーキング用コースとして割り当てられたものであり、このウォーキング用コース内を受講生達がレッスン時間内に往復歩行する。ここで、受講生がコースロープに沿ってウォーキングして往復する際、戻ってくる他の受講生と対向してすれ違うこととなる。
しかし、前記他の受講生とのすれ違いは受講生によっては心理的に窮屈に感じることがあり、プールの構造上何らかの改善が望まれるという問題があった。また、前を歩く人がゆっくりだったとすると、スペース的に追い越しでできないので後ろでストレスに感じることがあった。
【特許文献１】特開平１０−５２５１４号公報
【発明の開示】
【発明が解決しようとする課題】
【０００３】
そこでこの発明は、従来よりも使い勝手がよい構造の水中ウォーキング対応プールを提供しようとするものである。
【課題を解決するための手段】
【０００４】
前記課題を解決するためこの発明では次のような技術的手段を講じている。
（１）この発明の水中ウォーキング対応プールは、プール内のコースのうちの複数コースがウォーキング用コースとして設定され、前記複数コース内の相互間を適宜区画する区画線に沿ってプール底面にフロートの錨機能部が複数個所に配設され、前記フロートはプール底面の錨機能部に接続されてプール水面に存する構造を有し、利用者がウォーキング用コースの複数コース内を前記フロートを目印として往復歩行可能としたことを特徴とする。
（２）この水中ウォーキング対応プールは、利用者がウォーキング用コースの複数コース内（例えば２コース）をフロートを目印として往復歩行可能としたので、ウォーキングして往復する際に戻ってくる他の利用者と対向した際にも十分な幅（例えば２コース分）があり心理的な窮屈さは感じ難い。また、前を歩く人がゆっくりだったとしても、十分な幅があるので横からショートカットしたり追い越ししたりすることができストレスに感じることはない。
ここで、ウォーキング用コースと他の水泳用コースとは、通常通りコースロープ等で仕切っておくことができる。また、前記フロートは複数コースの相互間を区画する区画線に沿って例えば５ｍ間隔で設けることができ、利用者はウォーキング用コースの２つのコースを前記フロートを目印にしてジグザグな８の字状に歩くこともできる。
（３）プールを新設する場合には、プール底面のフロートの錨機能部をネジ等による埋め込み式（躓いたりする出っ張りがないようにする）とすることができる。
また、既設のプールに適用する場合はプール底面に留置する錘体としてもよい。この錘体はウォーキングエクササイズをしている人が躓きにくい平べったい形状とすることが好ましい。
【発明の効果】
【０００５】
この発明は上述のような構成であり、次の効果を有する。
心理的な窮屈さは感じ難いので、従来よりも使い勝手がよい構造の水中ウォーキング対応プールを提供することができる。
【発明を実施するための最良の形態】
【０００６】
以下、この発明の実施の形態を説明する。
図１及び図２に示すように、この実施形態の水中ウォーキング対応プールは、プール内のコースのうちのプールサイド脇の３コースがウォーキング用コース１として設定されている。ウォーキング用コース１の他は通常の水泳用コース２であり、相互間はコースロープ３で仕切られている。ここで、プールサイド側の一番端のウォーキング用コース１が階段を有する構造（図示せず）とすると、利用者（受講者）がプールに楽に下りていくことができお年寄りの利用者にも使い勝手がより良いものとなる。
【０００７】
前記ウォーキング用の３コースの相互間は、プールサイド側の２コース幅分４（１コース幅分でもよい）とその内側の１コース幅分５とに区画する区画線に沿ってプール底面６にフロート７の錨機能部８が複数個所に配設され、前記フロート７はプール底面６の錨機能部８に接続されてプール水面９に存する構造を有する。前記フロート７は区画線に沿って約５ｍ間隔で設置している。なお、前記区画線は複数のフロート７間を結ぶ想定上の線であって、実際のプールの底面６には特に表示しなくてもよい。プール底面６は全体的にタイル貼りとしている。
【０００８】
プール底面６のフロート７の錨機能部８は、ネジ構造10による埋め込み式（躓いたりするプール底面６からの出っ張りがないようにする）としている。具体的には、プール底面６にステンレス製の埋め込みソケット11を予め埋設しておき、この埋め込みソケット11と螺合するステンレス製の専用キャップがフロート７の錨機能部８として形成されている。
【０００９】
前記フロート７は空気が収容された合成樹脂製の球状体としていて（水面９に浮く構造である）且つ剛性を有する線状連結体（ステンレスワイヤー）12の挿通孔13が球状体の中央位置に形成されており、前記挿通孔13を通したステンレスワイヤー12が錨機能部８に接続・固定されている。前記フロート７の球状体の挿通孔13を通したステンレスワイヤー12の会合箇所、及びその他の適宜箇所にはビニール14で被覆をしている。なお、ステンレスワイヤー12が剛性を有するので、フロート７は必ずしも水面９に浮く構造でなくてもよい。
そして、利用者がウォーキング用コース１の３コース内を、前記フロート７を目印として往復歩行できるようにしている。
【００１０】
次に、この実施形態の水中ウォーキング対応プールの使用状態を説明する。
この水中ウォーキング対応プールは、利用者がウォーキング用コース１内をフロート７を目印として往復歩行可能としたので、ウォーキングして往復する際に戻ってくる他の利用者と対向した際にも十分な幅があり心理的な窮屈さは感じ難く、従来よりも使い勝手がよいという利点がある。また、前を歩く人がゆっくりだったとしても、横からショートカットしたり追い越ししたりすることができストレスに感じることはないという利点がある。利用者はウォーキング用コース１のコース幅分を、前記フロート７を目印にしてジグザグな８の字状に歩くようにすることもできる。
【００１１】
ここで、コースロープを有する２（又は３）コース幅分をウォーキング用とした場合、他の利用者との対向時に他のコースに入って避けようとするとロープをくぐるために水中に潜らなければならず頭を濡らす必要が生じることとなるが、この実施形態では前記のような頭を濡らす不具合を回避することができ、単にコースを複数に増やしただけではない利点がある。一方、コースロープを有さない２（又は３）コース幅分をウォーキング用とした場合、ウォーキングする際に積極的に目印となるものが存しないので利用者達のウォーキングエクササイズが混沌として混乱をきたすこととなるが、この実施形態では前記のような混乱を回避することができ、単にコースを複数に増やしただけではない利点がある。
【００１２】
さらに、前記フロート７と錨機能部８とを剛性を有する線状連結体（ステンレスワイヤー）12で接続しているので、水面９に存するフロート７のほぼ直下に線状連結体12が存することとなり、例えばフロート７が斜めに流れて本来の位置から変位している場合のような利用者と線状連結体12との不測の交錯を防止することができ（フロートの直下ではない箇所に線状連結体があると利用者が目測を誤る可能性がある）、安全を担保することができるという利点がある。
なお、この水中ウォーキング対応プールを既設のプールに適用する場合は、フロートの錨機能部をプール底面に留置する錘体とすることができる。この錘体はウォーキングエクササイズをしている人が躓きにくい平べったい形状とすることが好ましい。
【産業上の利用可能性】
【００１３】
従来よりも使い勝手がよい構造を有することによって、多くの人の健康増進、体力増強、代謝効率の改善に好適に寄与することができ、高血圧、高脂血症等の成人病に対する運動療法、或いは術後等のリハビリテーションなどを体重の影響を少なくして行うことができる水中ウォーキング対応プールの用途に適用することができる。
【図面の簡単な説明】
【００１４】
【図１】この発明の水中ウォーキング対応プールの実施形態を説明する写真。
【図２】図１の水中ウォーキング対応プールのフロート周りの構造を説明する正面図。
【符号の説明】
【００１５】
１  ウォーキング用コース
６  プール底面
７  フロート
８  錨機能部
９  プール水面
【図１】
2008228954.tif 000003
【図２】
2008228954.tif 000004